【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
通信装置であって、
近接無線通信に対応する第１の無線通信設定として、前記近接無線通信の実行を許可する第１のＯＮ設定、又は前記近接無線通信の実行を許可しない第１のＯＦＦ設定のいずれかの設定を、前記通信装置上で動作するＯＳが提供する前記通信装置の設定画面を介してユーザから受け付ける第１の受付手段と、
アクセスポイントに接続して、無線通信に対応する第２無線通信設定として、前記無線通信の実行を許可する第２のＯＮ設定、又は前記無線通信の実行を許可しない第２のＯＦＦ設定のいずれの設定を、前記通信装置上で動作する前記ＯＳが提供する前記通信装置の設定画面を介してユーザから受け付ける第２の受付手段と、
前記通信装置における所定のアプリケーションの起動に応じて、前記第１の無線通信設定が前記第１のＯＦＦ設定から前記第１のＯＮ設定に自動的に変更されるように前記ＯＳに変更要求を送信する第１の送信手段と、そして
前記近接無線通信によってＳＳＩＤを含む接続情報が取得されることに応じて、前記第２の無線通信設定が前記第２のＯＦＦ設定から前記第２のＯＮ設定に自動的に変更されるように前記ＯＳに変更要求を送信する第２の送信手段と、を有し、
前記無線通信によって前記ＳＳＩＤが示す接続先とデータ通信が行われることを特徴とする通信装置。
【請求項２】
前記データ通信の終了に応じて、前記第２の無線通信設定を前記第２のＯＮ設定から第２のＯＦＦ設定に自動的に変更されるように前記ＯＳに変更要求を送信する第３の送信手段と、を有することを特徴とする請求項１に記載の通信装置。
【請求項３】
データ通信終了後の所定時間は発生していない次回データ通信に応じて、前記第２の無線通信設定を前記第２のＯＮ設定から前記第２のＯＦＦ設定に自動的に変更されるように前記ＯＳに変更要求を送信する第４の送信手段と、を有することを特徴とする請求項１又は請求項２に記載の通信装置。
【請求項４】
前記所定のアプリケーションの終了処理の実行に応じて、前記第１の無線通信設定を前記第１のＯＮ設定から前記第１のＯＦＦ設定に自動的に変更されるように前記ＯＳに変更要求を送信する第４の送信手段と、を有することを特徴とする請求項１乃至３のいずれか１項に記載の通信装置。
【請求項５】
前記近接無線通信はＮＦＣに基づく通信であることを特徴とする請求項１乃至４のいずれか１項に記載の通信装置。
【請求項６】
通信装置に、
近接無線通信に対応する第１の無線通信設定として、前記近接無線通信の実行を許可する第１のＯＮ設定、又は前記近接無線通信の実行を許可しない第１のＯＦＦ設定のいずれかの設定を、前記通信装置上で動作するＯＳが提供する前記通信装置の設定画面を介してユーザから受け付ける第１の受付工程と、
アクセスポイントに接続して、無線通信に対応する第２無線通信設定として、前記無線通信の実行を許可する第２のＯＮ設定、又は前記無線通信の実行を許可しない第２のＯＦＦ設定のいずれの設定を、前記通信装置上で動作する前記ＯＳが提供する前記通信装置の設定画面を介してユーザから受け付ける第２の受付工程と、
前記通信装置における所定のアプリケーションの起動に応じて、前記第１の無線通信設定が前記第１のＯＦＦ設定から前記第１のＯＮ設定に自動的に変更されるように前記ＯＳに変更要求を送信する第１の送信工程と、そして
前記近接無線通信によってＳＳＩＤを含む接続情報が取得されることに応じて、前記第２の無線通信設定が前記第２のＯＦＦ設定から前記第２のＯＮ設定に自動的に変更されるように前記ＯＳに変更要求を送信する第２の送信工程と、を実行させ、
前記無線通信によって前記ＳＳＩＤが示す接続先とデータ通信が行われることを特徴とするプログラム。
【請求項７】
前記通信装置に、
前記データ通信の終了に応じて、前記第２の無線通信設定を前記第２のＯＮ設定から第２のＯＦＦ設定に自動的に変更されるように前記ＯＳに変更要求を送信する第３の送信工程と、を実行させることを特徴とする請求項６に記載のプログラム。
【請求項８】
前記通信装置に、
データ通信終了後の所定時間は発生していない次回データ通信に応じて、前記第２の無線通信設定を前記第２のＯＮ設定から前記第２のＯＦＦ設定に自動的に変更されるように前記ＯＳに変更要求を送信する第４の送信工程と、を実行させることを特徴とする請求項６又は請求項７に記載のプログラム。
【請求項９】
前記通信装置に、
前記所定のアプリケーションの終了処理の実行に応じて、前記第１の無線通信設定を前記第１のＯＮ設定から前記第１のＯＦＦ設定に自動的に変更されるように前記ＯＳに変更要求を送信する第４の送信工程と、を実行させることを特徴とする請求項６乃至８のいずれか１項に記載のプログラム。
【請求項１０】
前記近接無線通信はＮＦＣに基づく通信であることを特徴とする請求項６乃至９のいずれか１項に記載のプログラム。
【請求項１１】
通信装置の制御方法であって、
近接無線通信に対応する第１の無線通信設定として、前記近接無線通信の実行を許可する第１のＯＮ設定、又は前記近接無線通信の実行を許可しない第１のＯＦＦ設定のいずれかの設定を、前記通信装置上で動作するＯＳが提供する前記通信装置の設定画面を介してユーザから受け付ける第１の受付工程と、
アクセスポイントに接続して、無線通信に対応する第２無線通信設定として、前記無線通信の実行を許可する第２のＯＮ設定、又は前記無線通信の実行を許可しない第２のＯＦＦ設定のいずれの設定を、前記通信装置上で動作する前記ＯＳが提供する前記通信装置の設定画面を介してユーザから受け付ける第２の受付工程と、
前記通信装置における所定のアプリケーションの起動に応じて、前記第１の無線通信設定が前記第１のＯＦＦ設定から前記第１のＯＮ設定に自動的に変更されるように前記ＯＳに変更要求を送信する第１の送信工程と、そして
前記近接無線通信によってＳＳＩＤを含む接続情報が取得されることに応じて、前記第２の無線通信設定が前記第２のＯＦＦ設定から前記第２のＯＮ設定に自動的に変更されるように前記ＯＳに変更要求を送信する第２の送信工程と、を有し、
前記無線通信によって前記ＳＳＩＤが示す接続先とデータ通信が行われることを特徴とする制御方法。
【手続補正２】
【補正対象書類名】明細書
【補正対象項目名】０００８
【補正方法】変更
【補正の内容】
【０００８】
上述した課題を解決するために、本発明が提供する通信装置は、
近接無線通信に対応する第１の無線通信設定として、前記近接無線通信の実行を許可する第１のＯＮ設定、又は前記近接無線通信の実行を許可しない第１のＯＦＦ設定のいずれかの設定を、前記通信装置上で動作するＯＳが提供する前記通信装置の設定画面を介してユーザから受け付ける第１の受付手段と、
アクセスポイントに接続して、無線通信に対応する第２無線通信設定として、前記無線通信の実行を許可する第２のＯＮ設定、又は前記無線通信の実行を許可しない第２のＯＦＦ設定のいずれの設定を、前記通信装置上で動作する前記ＯＳが提供する前記通信装置の設定画面を介してユーザから受け付ける第２の受付手段と、
前記通信装置における所定のアプリケーションの起動に応じて、前記第１の無線通信設定が前記第１のＯＦＦ設定から前記第１のＯＮ設定に自動的に変更されるように前記ＯＳに変更要求を送信する第１の送信手段と、そして
前記近接無線通信によってＳＳＩＤを含む接続情報が取得されることに応じて、前記第２の無線通信設定が前記第２のＯＦＦ設定から前記第２のＯＮ設定に自動的に変更されるように前記ＯＳに変更要求を送信する第２の送信手段と、を有し、
前記無線通信によって前記ＳＳＩＤが示す接続先とデータ通信が行われることを特徴とする。